(57)【要約】【課題】コネクタの、テーパ形状となっている先端部の外周面と、コネクタが挿入される接続管の内周面の間には間隙が形成される。この間隙１１２に透析液等の取扱液が滞留するおそれがある。【解決手段】コネクタ１０は、円筒形状であって、中心軸Ａ２方向一端にフィルタモジュール３０の接続管３７Ａに挿入される第一先端部１３が形成されるコネクタ本体１１を備える。第一先端部１３は、末端に行くにつれて外周面１３Ｂが縮径される。第一先端部１３には、当該第一先端部１３の外周面１３Ｂからコネクタ本体１１の内周面１１Ａまで貫通される貫通部が形成される。【選択図】図４
2020005883.tif 000002
【特許請求の範囲】
【請求項１】
円筒形状であって、中心軸方向一端にフィルタモジュールの接続管に挿入される第一先端部が形成されたコネクタ本体を備える、配管接続用コネクタであって、
前記第一先端部は、末端に行くにつれて外周面が縮径され、
前記第一先端部には、当該第一先端部の外周面から前記コネクタ本体の内周面まで貫通される貫通部が形成される、
配管接続用コネクタ。
【請求項２】
請求項１に記載の配管接続用コネクタであって、
前記貫通部は、前記第一先端部の末端から形成されるスリットである、
配管接続用コネクタ。
【請求項３】
請求項２に記載の配管接続用コネクタであって、
前記コネクタ本体は、前記第一先端部に対する前記中心軸方向他端に第二先端部が形成され、
前記コネクタ本体の内周面には、前記スリットの終端に接続され、前記スリットの終端から前記第二先端部側に行くにつれて溝底面の前記中心軸との距離が小さくなる、断面傾斜状のスロープ溝が形成される、
配管接続用コネクタ。
【請求項４】
請求項１に記載の配管接続用コネクタであって、
前記貫通部は、前記第一先端部の外周面から前記コネクタ本体の内周面まで貫通される貫通孔である、
配管接続用コネクタ。
【請求項５】
請求項１から４のいずれか一項に記載の配管接続用コネクタが挿入される前記接続管を備える、フィルタモジュールであって、
前記接続管の内周面には、シール部材が収容される収容溝が全周に亘って形成される、フィルタモジュール。
【請求項６】
請求項５に記載のフィルタモジュールであって、前記シール部材により、前記収容溝が埋められる、
フィルタモジュール。
【請求項７】
請求項５に記載のフィルタモジュールであって、前記接続管の内周面の、前記配管接続用コネクタの前記第一先端部の外周面と対向する領域に、前記中心軸方向前後の前記内周面に対して突出または陥没する径変更部が形成される、
フィルタモジュール。
【請求項８】
請求項５に記載のフィルタモジュールであって、
前記収容溝の前記第一先端部側の側面と、前記シール部材と前記コネクタ本体の外周面との当接領域との、前記中心軸方向の区間に、前記第一先端部の外周面に形成された、前記貫通部による開口の少なくとも一部が含まれる、
フィルタモジュール。
【請求項９】
請求項１から４のいずれか一項に記載の配管接続用コネクタ及び請求項５から８のいずれか一項に記載のフィルタモジュールを備える、液体供給回路。
【発明の詳細な説明】
【技術分野】
【０００１】
本発明は、配管接続用コネクタ、当該コネクタが挿入されるフィルタモジュール、及びこれらの配管接続用コネクタ及びフィルタモジュールを備える液体供給回路に関する。
【背景技術】
【０００２】
例えば血液透析では、透析液供給回路を経て血液浄化器に透析液が供給される。透析液供給回路には、血液浄化器に供給される透析液を濾過するフィルタモジュールが用いられる。フィルタモジュールは濾過前の透析液が導入される導入管と濾過後の透析液を導出する導出管を備える。導入管と導出管とをまとめて接続管と呼ぶこともできる。
【０００３】
例えば特許文献１〜４に例示されるように、フィルタモジュールの接続管に、透析液供給回路の配管の末端部であるコネクタが接続される。例えば接続管がメス側となりコネクタがオス側となり、接続管にコネクタが挿入される。
【０００４】
接続箇所のシール性を保つために、接続管内周面とコネクタ外周面との間にＯリング等のシール部材が設けられる場合がある。例えば図１３に示されるように、接続管１００の内周面１０２に形成された収容溝１０３にＯリング１０４が収容される。このとき、コネクタ１０６の接続管１００への挿入時における、Ｏリング１０４の損傷を抑制するために、コネクタ１０６の先端は先細りのテーパ形状となっている。
【先行技術文献】
【特許文献】
【０００５】
【特許文献１】特開２０１５−１８８６６７号公報
【特許文献２】特開２０１６−０４９１７７号公報
【特許文献３】特開２０１５−１８１７８３号公報
【特許文献４】米国特許第５３９７４６２号明細書
【発明の概要】
【発明が解決しようとする課題】
【０００６】
ところで、図１３に例示されるようにコネクタ１０６の、テーパ形状となっている先端部１０８の外周面１１０と接続管１００の内周面１０２の間には間隙１１２が形成される。この間隙１１２に透析液等の取扱液が滞留するおそれがあり、当該構造には配管内の清浄性向上の余地がある。
【課題を解決するための手段】
【０００７】
本発明は配管接続用コネクタに関する。当該コネクタは、円筒形状であって、中心軸方向一端にフィルタモジュールの接続管に挿入される第一先端部が形成されたコネクタ本体を備える。第一先端部は、末端に行くにつれて外周面が縮径される。第一先端部には、当該第一先端部の外周面からコネクタ本体の内周面まで貫通される貫通部が形成される。
【０００８】
上記発明によれば、縮径された第一先端部の外周面からコネクタ本体の内周面まで貫通される貫通部を介して、第一先端部の外周面周辺に滞留する液体をコネクタ本体内まで導入可能となる。
【０００９】
また上記発明において、貫通部は、第一先端部の末端から形成されるスリットであってよい。
【００１０】
貫通部をスリットとすることで、例えば射出成形により配管接続用コネクタを製造する場合、金型にスリットに対応するコア（雄型）を形成しておけばスリットが形成可能となる。このようにコネクタ全体の成形と同時に貫通部の作成が可能となり、貫通部の作成に伴う追加コストを低減可能となる。
【００１１】
また上記発明において、コネクタ本体は、第一先端部に対する中心軸方向他端に第二先端部が形成されてよい。この場合、コネクタ本体の内周面には、スリットの終端に接続され、スリットの終端から第二先端部側に行くにつれて溝底面の中心軸との距離が小さくなる、断面傾斜状のスロープ溝が形成されてよい。
【００１２】
スリットの終端にスロープ溝が接続されることで、スリット終端に流れる液体を円滑にコネクタ本体内に導入可能となる。
【００１３】
また上記発明において、貫通部は、第一先端部の外周面からコネクタ本体の内周面まで貫通される貫通孔であってよい。
【００１４】
第一先端部の外周面からコネクタ本体の内周面まで貫通される貫通孔を介して、第一先端部の外周面周辺に滞留する液体をコネクタ本体内まで導入可能となる。
【００１５】
また本発明は、上記発明に係る配管接続用コネクタが挿入される接続管を備える、フィルタモジュールに関する。接続管の内周面には、シール部材が収容される収容溝が全周に亘って形成される。
【００１６】
一般的にディスポーザル製品であるフィルタモジュールにシール部材を収容させることで、フィルタモジュールの交換と併せてシール部材を交換することが可能となる。これにより長期間使用に伴うシール部材の劣化を抑制可能となる。
【００１７】
また上記発明において、シール部材により、収容溝が埋められてよい。
【００１８】
シール部材が収容溝をシールすることで、当該収容溝への液体流入が避けられる。
【００１９】
また上記発明において、接続管の内周面の、配管接続用コネクタの第一先端部の外周面と対向する領域に、中心軸方向前後の内周面に対して突出または陥没する径変更部が形成されてよい。
【００２０】
接続管の内周面に径変更部を設けることで、当該径変更部周辺の流れに渦を形成可能となり、滞留領域の液体が攪拌される。
【００２１】
また上記発明において、収容溝の第一先端部側の側面と、シール部材とコネクタ本体の外周面との当接領域との、中心軸方向の区間に、第一先端部の外周面に形成された、貫通部による開口の少なくとも一部が含まれてよい。
【００２２】
上記構成のように収容溝の一部に貫通部の開口の少なくとも一部が向けられることで、収容溝内の液体を、貫通部を介してコネクタ本体内に導入可能となる。
【００２３】
また本発明は、上記発明に係る配管接続用コネクタ及びフィルタモジュールを備える、液体供給回路に関する。
【発明の効果】
【００２４】
本発明によれば、接続管の内周面と、テーパ形状となっている第一先端部の外周面との間に形成される間隙における、液体の滞留を従来よりも抑制可能となる。
【図面の簡単な説明】
【００２５】
【図１】本実施形態に係る配管接続用コネクタ及びフィルタモジュールが用いられる透析液供給回路を例示する図である。
【図２】本実施形態に係る配管接続用コネクタ及びフィルタモジュールを例示する断面図である。
【図３】本実施形態に係る配管接続用コネクタを例示する斜視図である。
【図４】本実施形態に係る配管接続用コネクタ及びフィルタモジュールの接続箇所を例示する断面図である。
【図５】接続箇所周辺の液体の流れを説明する図である。
【図６】本実施形態の第一別例に係る配管接続用コネクタを例示する斜視図である。
【図７】本実施形態の第一別例に係る配管接続用コネクタ及びフィルタモジュールの接続箇所を例示する断面図である。
【図８】本実施形態の第一別例に係るフィルタモジュールを例示する断面図である。
【図９】本実施形態の第一別例に係るフィルタモジュールの、接続箇所周辺の液体の流れを説明する図である。
【図１０】本実施形態の第二別例に係るフィルタモジュールを例示する断面図である。
【図１１】本実施形態に係る配管接続用コネクタ及びフィルタモジュールの相対位置について説明する断面図である。
【図１２】本実施形態の第二別例に係る配管接続用コネクタを例示する斜視図である。
【図１３】従来技術に係る配管接続用コネクタ及びフィルタモジュールの接続箇所を例示する断面図である。
【発明を実施するための形態】
【００２６】
図１に、本実施形態に係る配管接続用コネクタ１０（以下適宜単にコネクタと記載する）及びフィルタモジュール３０が接続される透析液供給回路５０が例示される。なお、本実施形態に係るコネクタ１０及びフィルタモジュール３０が搭載される回路は、透析液供給回路に限られない。要するに取り扱い液の濾過を要する液体供給回路であれば、本実施形態に係るコネクタ１０及びフィルタモジュール３０を接続可能である。例えば水浄化回路等にも、本実施形態に係るコネクタ１０及びフィルタモジュール３０を接続可能である。
【００２７】
透析液供給回路５０は、血液浄化器５４に透析液を供給するとともに、血液浄化器５４から排出される物質交換後の透析液を排出する。透析液供給回路５０は、透析液供給ラインＬ１及び透析液排出ラインＬ２を主要な流路とし、これに分岐して複数の支流となるラインが形成される。具体的には、透析液供給ラインＬ１に透析液取出しラインＬ８が設けられ、透析液排出ラインＬ２に迂回ラインＬ５，Ｌ６，Ｌ７が設けられる。さらに、透析液供給ラインＬ１と透析液排出ラインＬ２とを結ぶようにして、バイパスラインＬ３，Ｌ４が設けられる。
【００２８】
透析液供給ラインＬ１は、その上流端に、図示しない透析液タンクが接続され、下流端に血液浄化器５４が接続される。透析液供給ラインＬ１は、上流から下流に向かって、ポンプＰ１、フィルタモジュール３０Ａ、バルブＶ１、フィルタモジュール３０Ｂ、透析液取出部Ｃ１、圧力センサＳ１、及びバルブＶ２が設けられる。なお、フィルタモジュール３０Ｂは、透析液供給回路５０に求められる濾過能力等に応じて省略してもよい。
【００２９】
ポンプＰ１はポンプＰ２とともに複式ポンプを構成する。例えば血液透析中には、ポンプＰ１により血液浄化器５４に供給される透析液の液量とポンプＰ２により血液浄化器５４から排出される液量が等しくなるように、両ポンプの動作が制御される。
【００３０】
フィルタモジュール３０Ａ，３０Ｂは、ともに血液浄化器５４に供給される透析液を濾過する濾過器である。例えば後述するように、フィルタモジュール３０Ａ，３０Ｂとして、血液浄化器５４と同様の中空糸膜モジュールを用いてもよい。この構成については後述する。また、フィルタモジュール３０Ａ，３０Ｂはともに、図２に例示されるフィルタモジュール３０と同一のものであってよい。
【００３１】
透析液排出ラインＬ２は、その上流端が血液浄化器５４に接続され、下流端が図示しない排液タンクに接続される。透析液排出ラインＬ２は、上流から下流に向かって、バルブＶ３、圧力センサＳ２、加圧ポンプＰ３、チャンバＣ２及びポンプＰ２が設けられる。
【００３２】
バイパスラインＬ３は透析液排出ラインＬ２のバルブＶ３及び圧力センサＳ２の間から分岐され、透析液供給ラインＬ１のフィルタモジュール３０Ｂに接続される。またバイパスラインＬ３にはバルブＶ４が接続される。
【００３３】
バイパスラインＬ４は透析液排出ラインＬ２の圧力センサＳ２及び加圧ポンプＰ３の間から分岐され、透析液供給ラインＬ１のフィルタモジュール３０Ａに接続される。またバイパスラインＬ４にはバルブＶ５が接続される。
【００３４】
迂回ラインＬ５，Ｌ６，Ｌ７はいずれも、透析液排出ラインＬ２の、バイパスラインＬ４の接続点よりも下流側に設けられる。迂回ラインＬ５にはバルブＶ６が設けられる。迂回ラインＬ６には、リリーフバルブＶＲ及び除水ポンプＰ４が設けられる。さらに迂回ラインＬ７が、ポンプＰ２を迂回するようにして設けられる。
【００３５】
また、透析液取出しラインＬ８は、透析液供給ラインＬ１の透析液取出部Ｃ１から分岐され、動脈側回路５１のエアトラップチャンバＡＴ１に接続される。クランプＣＰを閉止状態から開放状態にすることで、透析液供給ラインＬ１を流れる透析液の一部が動脈側回路５１に供給される。
【００３６】
動脈側回路５１の下流端、静脈側回路５２の上流端、透析液供給ラインＬ１の下流端、及び、透析液排出ラインＬ２の上流端が、それぞれ血液浄化器５４に接続される。血液浄化器５４は動脈側回路５１から送られた血液を浄化する。血液浄化器５４はいわゆるダイアライザであって、例えば中空糸膜５４Ａを介して透析液と血液とが物質交換される。血液浄化器５４は、複数本の中空糸膜５４Ａの束（中空糸膜束）がカラム５４Ｂ内に収容される。
【００３７】
カラム５４Ｂは円筒状の収容部材であって、中心軸方向の一端に導入側キャップ５４Ｃが取り付けられ、他端に導出側キャップ５４Ｄが取り付けられる。導入側キャップ５４Ｃには、動脈側回路５１の下流末端のチューブ（図示せず）に接続される血液導入ポート５４Ｅが設けられる。導出側キャップ５４Ｄには、静脈側回路５２の上流端のコネクタ（図示せず）に接続される血液導出ポート５４Ｆが設けられる。ポンプ５３の駆動により動脈側回路５１から送られる血液は、エアトラップチャンバＡＴ１を経由して血液導入ポート５４Ｅから中空糸膜５４Ａの内部に流れ込む。
【００３８】
カラム５４Ｂの、導出側キャップ５４Ｄ寄りの部分には、透析液導入ポート５４Ｇが設けられる。またカラム５４Ｂの、導入側キャップ５４Ｃ寄りの部分には、透析液導出ポート５４Ｈが設けられる。透析液導入ポート５４Ｇを介して、透析液供給ラインＬ１からカラム５４Ｂ内に透析液が送られる。中空糸膜５４Ａを介して透析液と血液とが物質交換され、その結果血液が浄化される。
【００３９】
物質交換後の透析液は排液として透析液導出ポート５４Ｈを介して透析液排出ラインＬ２に送られる。また浄化後の血液は血液導出ポート５４Ｆを介して静脈側回路５２に送られる。静脈側回路５２では、エアトラップチャンバＡＴ２を経由して、図示しない静脈側穿刺針から浄化後の血液が患者の体内に返血される。
【００４０】
図２には、本実施形態に係るコネクタ１０及びフィルタモジュール３０の断面図が例示される。図２では、フィルタモジュール３０の中心軸Ａ１ならびにケーシング側接続管３７Ａ及びコネクタ１０の中心軸Ａ２を含む断面が例示される。
【００４１】
フィルタモジュール３０は、例えば中空糸膜モジュールであって、ケーシング３１、中空糸膜３２、キャップ３３Ａ，３３Ｂを備える。
【００４２】
中空糸膜３２は、複数本の束（中空糸膜束）の状態でケーシング３１内に収容される。中空糸膜３２の長手方向一端の開口はキャップ３３Ａ，３３Ｂの一方に向けられ、中空糸膜３２の他端の開口はキャップ３３Ａ，３３Ｂの他方に向けられる。
【００４３】
中空糸膜３２の長手方向両端部は、複数の中空糸膜３２間及びケーシング３１の内周面に亘って封止材３４が充填される。中空糸膜３２の端部開口は封止材３４が充填されずに、開放状態が維持される。またケーシング３１の長手方向（中心軸Ａ１方向）の一対の封止材３４，３４によって、ケーシング３１の両端が封止される。
【００４４】
キャップ３３Ａ，３３Ｂはケーシング３１の中心軸Ａ１方向両端に取り付けられる。キャップ３３Ａ，３３Ｂの少なくとも一方には、外部からチューブ５５が接続可能なキャップ側接続管３５（ポート）が形成される。例えば図１の例では、キャップ３３Ａ，３３Ｂの両者にキャップ側接続管３５Ａ，３５Ｂが形成される。
【００４５】
ケーシング３１は、円筒形状のケーシング本体３６と、ケーシング本体３６と連通し当該ケーシング本体３６から分岐されるケーシング側接続管３７を備える。ケーシング側接続管３７として、ケーシング３１は例えば一対のケーシング側接続管３７Ａ，３７Ｂを備える。ケーシング本体３６内に中空糸膜３２が収容される。ケーシング側接続管３７Ａ，３７Ｂは、例えばケーシング本体３６から径方向に突設される。
【００４６】
このように、フィルタモジュール３０には、キャップ側接続管３５及びケーシング側接続管３７が設けられる。図２の例では、フィルタモジュール３０には、キャップ側接続管３５Ａ，３５Ｂ及びケーシング側接続管３７Ａ，３７Ｂの４つの接続管が設けられる。透析液の濾過に当たり、透析液供給ラインＬ１（図１参照）の、相対的に上流側のチューブ５５Ａが、キャップ側接続管３５Ａ，３５Ｂの一方（図２ではキャップ側接続管３５Ｂ）に接続される。また、透析液供給ラインＬ１の、相対的に下流側のチューブ５５Ｂが、コネクタ１０を介してケーシング側接続管３７Ａ，３７Ｂの一方（図２ではケーシング側接続管３７Ａ）に接続される。チューブ５５Ａ，５５Ｂに接続されないキャップ側接続管３５Ａ，３５Ｂの他方、及び、ケーシング側接続管３７Ａ，３７Ｂの他方は、封止キャップ３８により封止される。または、流出側のチューブ５５Ｂを２本設けて、ケーシング側接続管３７Ａ，３７Ｂに接続してもよい。
【００４７】
図２を参照し、チューブ５５Ａからキャップ側接続管３５Ｂを経由して、中空糸膜３２内に透析液が流入する。中空糸膜３２の空孔から中空糸膜３２外に流出した透析液はケーシング側接続管３７Ａを経由してチューブ５５Ｂに流れ込む。このとき、透析液中の固形物のうち、中空糸膜３２の空孔サイズを超過するものが中空糸膜３２に捕捉される。
【００４８】
図４にはケーシング側接続管３７Ａの周辺拡大断面図が例示される。なお、ケーシング側接続管３７Ｂもこれと同様の構造を備える。
【００４９】
ケーシング側接続管３７Ａの内周面４０にはシール部材であるＯリング４１を収容する収容溝４２が全周に亘って形成される。例えば、ケーシング側接続管３７Ａの遠位端、つまりケーシング本体３６から離間された側の端部が、その近位端、つまりケーシング本体３６との接続端よりも段差状に拡径されることで、段差部４３が形成される。
【００５０】
さらにケーシング側接続管３７Ａの遠位端にストッパ４４が取り付けられる。ストッパ４４の内径Ｄ１はケーシング側接続管３７Ａの近位端の内径Ｄ２と等しくてよい。また、ストッパ４４の近位端と段差部４３とが中心軸Ａ２方向に離間されるように、ストッパ４４及びケーシング側接続管３７Ａの形状が定められる。
【００５１】
このようにして、ストッパ４４の近位端面４４Ａと段差部４３の段差面４３Ａとが一対の側面となり、またこの一対の側面を繋ぐ底面となる収容溝４２が、ケーシング側接続管３７Ａの内周面４０の全周に亘って形成される。さらにこの収容溝４２にＯリング４１が収容される。なお、段差部４３とストッパ４４とによって収容溝４２を構成する代わりに、ケーシング側接続管３７Ａの内周面の一部を全周に亘って拡径させることにより収容溝４２を形成してもよい。
【００５２】
このように、フィルタモジュール３０にＯリング４１が設けられることで、フィルタモジュール３０の交換と併せてＯリング４１を交換することが可能となる。これにより長期間使用に伴うＯリング４１の劣化、及びその劣化に伴うシール性の低下を抑制可能となる。
【００５３】
図３には、コネクタ１０の斜視図が例示される。なお、図３及び後述する図６において、面と他の面との境界を明確にするために、第一先端部１３を角張った部材として描画しているが、当該境界を曲面加工してＲ部としてもよいし、面取りをしてもよい。
【００５４】
コネクタ１０はコネクタ本体１１及びフランジ１２を備える。コネクタ本体１１は円筒形状であって、中心軸Ａ２方向一端に第一先端部１３が形成され、他端に第二先端部１４が形成される。コネクタ本体１１の中心軸Ａ２方向略中心に、フランジ１２が設けられる。
【００５５】
フランジ１２はコネクタ本体１１の外周面から径方向外側に張り出されるように設けられた円環部材である。例えば図４を参照して、フランジ１２は、ケーシング側接続管３７Ａ（正確にはケーシング側接続管３７Ａのストッパ４４）及びチューブ５５Ｂをコネクタ１０に差し込む際に、ストッパとして機能する。
【００５６】
第一先端部１３及び第二先端部１４はいわゆるオス部材であって、第二先端部１４はチューブ５５Ｂ（図４参照）に挿入接続される。なお、チューブ５５Ｂの他にも、金属配管や樹脂配管への種々の配管継手が第二先端部１４に接続されてよい。第一先端部１３はフィルタモジュール３０の接続管（図４ではケーシング側接続管３７Ａ）に挿入される。
【００５７】
第一先端部１３は、中心軸Ａ２方向に、その末端、つまり、第二先端部１４とは対向する端部であり、ケーシング側接続管３７Ａにコネクタ１０を差し込むときの先端に行くにつれて、外周面１３Ｂが縮径される。例えば図４に示す例では、第一先端部１３の外周面１３Ｂは、中心軸Ａ２方向末端に向かって直線的に先細りとなるテーパ形状に形成される。第一先端部１３のテーパ角、つまり、中心軸Ａ２に対する外周面１３Ｂの角度は１５°以上３０°以下であってよい。このような先細のテーパ形状とすることで、コネクタ１０をケーシング側接続管３７Ａに挿入する際に、ケーシング側接続管３７Ａの内周面４０に設けられたＯリング４１の損傷が避けられる。なお、第一先端部１３の外周面１３Ｂの、図４に示す断面形状（中心軸Ａ２を含む断面形状）を、直線的に先細りするテーパ形状とする他にも、同断面形状を曲線形状としてもよい。
【００５８】
加えて、本実施形態に係るコネクタ１０では、第一先端部１３には、当該第一先端部１３の外周面１３Ｂから、コネクタ本体１１の内周面１１Ａまで貫通される貫通部が設けられる。なお、コネクタ本体１１の内周面１１Ａとは、第一先端部１３の内周面１３Ａも含まれる。
【００５９】
図２〜図１１では、上記貫通部として、第一先端部１３にスリット１５が形成される。スリット１５は、第一先端部１３の中心軸Ａ２方向末端から当該中心軸Ａ２と平行に直線状に形成される切込みである。このスリット１５は第一先端部１３の周廻りに、等間隔に複数形成されてよい。またスリット１５は第一先端部１３の、中心軸Ａ２方向の全長に亘って形成されてよい。
【００６０】
図４を参照して、上述したように、第一先端部１３の先細テーパ形状の外周面１３Ｂとケーシング側接続管３７Ａの内周面４０との間には、いわゆるデッドスペースである滞留部１６が形成される。本実施形態に係るコネクタ１０では、第一先端部１３に貫通部であるスリット１５を形成することで、図５の矢印に例示されるように、滞留部１６からコネクタ本体１１内までのアクセスが可能となる。
【００６１】
例えばスリット１５は、コネクタ１０の成形と同時に行うことができる。例えば射出成形によりコネクタ１０を製造する場合、金型にスリット１５に対応するコア（雄型）を形成しておけばスリット１５が形成可能となる。このようにコネクタ全体の成形と同時にスリット１５の作成が可能となり、スリット１５の作成に伴う追加コストを低減可能となる。
【００６２】
なお、図３等では、スリット１５を第一先端部１３の中心軸Ａ２方向末端から当該中心軸Ａ２と平行に直線状に形成したが、この形態に限らない。例えば、中心軸Ａ２に対してスリット１５を斜行させてもよいし、中心軸Ａ２廻りにねじ状のスリット１５を形成してもよい。このような斜行スリットやねじ形スリットは、当該スリットを流れる液体に回転を加えることができ、渦流を作ることで攪拌効果が得られる。
【００６３】
＜コネクタの第一別例＞
図６、図７には、本実施形態の第一別例に係るコネクタ１０が例示される。図３〜図５に例示されたコネクタ１０との差異点として、コネクタ本体１１の内周面１１Ａには、スロープ溝１７が形成されている。
【００６４】
スロープ溝１７は、スリット１５の終端１５Ａに接続され、中心軸Ａ２と平行に、スリット１５の終端１５Ａから第二先端部１４側に延設される。図７を参照して、スリット１５の周方向幅Ｗ１とスロープ溝１７の周方向幅Ｗ２は等しくてよい。
【００６５】
またスロープ溝１７は、その溝底面１７Ａと中心軸Ａ２との距離Ｒ１，Ｒ２が、スリット１５の終端１５Ａから第二先端部１４側に行くにつれて小さくなる（Ｒ２  ＜  Ｒ１）ように形成される。つまりスロープ溝１７は、中心軸Ａ２に平行な断面が傾斜状となる。
【００６６】
このように、スリット１５の終端１５Ａにスロープ溝１７を接続させることで、滞留部１６の液体がスロープ溝１７にガイドされ円滑にコネクタ本体１１内に流入可能となる。
【００６７】
なお、コネクタ本体１１の内周面１１Ａにスロープ溝１７の中心軸Ａ２方向の延設長さを過度に長く定めると、コネクタ本体１１において肉薄部分の割合が増加する。そこでコネクタ１０の剛性を保障する上で、例えばスロープ溝１７の、中心軸Ａ２方向の延設長さ、言い換えると軸方向長さは、スリット１５の軸方向長さと同一であってよい。
【００６８】
なお、図６等では、スロープ溝１７を、第一先端部１３の中心軸Ａ２方向末端から当該中心軸Ａ２と平行に直線状に形成したが、この形態に限らない。例えば、中心軸Ａ２に対してスロープ溝１７を斜行させてもよいし、中心軸Ａ２廻りにねじ状のスロープ溝１７を形成してもよい。このような斜行スロープ溝やねじ形スロープ溝１７は、当該スロープ溝を流れる液体に回転を加えることができ、渦流を作ることで攪拌効果が得られる。
【００６９】
＜接続管の第一別例＞
図８、図９には、本実施形態に係るフィルタモジュールの接続管の、第一別例が示される。図３〜図７との差異点として、ケーシング側接続管３７Ａの内周面４０に、拡径部４５が形成される。
【００７０】
例えば、拡径部４５は、ケーシング側接続管３７Ａの内周面４０の一部が、全周に亘って拡径された凹部である。例えば拡径部４５は、中心軸Ａ２を含む断面形状が曲面となるように形成され、その最大内径Ｄ３は、ケーシング側接続管３７Ａの内周面４０の内径Ｄ２を超過する（Ｄ３  ＞  Ｄ２）。
【００７１】
また拡径部４５は、滞留部１６に対応して設けられる。すなわち、ケーシング側接続管３７Ａの内周面４０のうち、コネクタ１０の第一先端部１３の外周面１３Ｂ（テーパ面）と対向する領域に、拡径部４５が形成される。
【００７２】
拡径部４５が滞留部１６に形成されることで、図９に例示されるように、滞留部１６に流れ込む液体の少なくとも一部が、拡径部４５の形状に沿って渦流となる。渦流が形成されることで、滞留部１６における液体交換が促進される。つまり、滞留部１６における液体の滞留期間が短縮される。
【００７３】
なお、図８、図９の例では、ケーシング側接続管３７Ａの内周面４０のうち、コネクタ１０の第一先端部１３の外周面１３Ｂ（テーパ面）と対向する領域に、拡径部４５を形成していたが、この形態に限らない。要するに滞留部１６に渦流を形成させればよいので、ケーシング側接続管３７Ａの内周面４０のうち、コネクタ１０の第一先端部１３の外周面１３Ｂ（テーパ面）と対向する領域に、中心軸Ａ２方向前後の内周面４０に対して突出または陥没する径変更部を設ければよい。つまり径変更部は拡径部４５であってもよく、突起であってもよい。
【００７４】
＜接続管の第二別例＞
図１０には、本実施形態に係るフィルタモジュール３０の接続管における第二別例が例示される。図３〜図９に例示されたケーシング側接続管３７Ａとの差異点として、その内周面４０に形成された収容溝４２に収容されたシール部材４６が設けられる。
【００７５】
シール部材４６は例えば円環状のガスケットであってよい。シール部材４６は、収容溝４２に差し込まれた状態で、中心軸Ａ２方向の断面形状が収容溝４２の断面形状と実質的に等しくなるように形成される。例えば収容溝４２が断面矩形である場合、シール部材４６の断面形状もまた矩形となる。
【００７６】
このような構成とすることで、収容溝４２の空間がシール部材４６により埋められる。言い換えると、収容溝４２がシール部材４６によりシールされる。その結果、収容溝４２への液体流入が防止される。
【００７７】
＜コネクタ及び接続管の相対位置＞
図１１を用いて、コネクタ１０とケーシング側接続管３７Ａとの相対位置について説明する。上述したように、ケーシング側接続管３７Ａの内周面４０とコネクタ本体１１の外周面１１Ｂの間隙はシール部材であるＯリング４１によってシールされる。ここで、収容溝４２について、Ｏリング４１とコネクタ本体１１の外周面１１Ｂとの当接領域１１Ｃと、収容溝４２の、第一先端部１３側の側面である段差面４３Ａとの間に、つまりＯリング４１によるシールが及んでいない領域に、液体が入り込んで滞留するおそれがある。
【００７８】
そこで図１１に例示されるように、第一先端部１３の外周面１３Ｂに形成された、貫通部であるスリット１５による開口の少なくとも一部が、収容溝４２の、第一先端部１３側の側面である段差面４３Ａと、Ｏリング４１とコネクタ本体１１の外周面１１Ｂとの当接領域１１Ｃとの間に含まれるようにしてもよい。
【００７９】
例えば図１１の例では、スリット１５の終端１５Ａが、当接領域１１Ｃと段差面４３Ａとの、中心軸Ａ２方向の区間に設けられる。このような構成とすることで、収容溝４２に入り込んだ液体をコネクタ本体１１まで送り込むことが可能となる。
【００８０】
＜コネクタの貫通部の第二別例＞
図３〜図１１に示す例では、コネクタ１０の第一先端部１３に形成される貫通部としてスリット１５を設けたが、この形態に限らない。要するに第一先端部１３の外周面１３Ｂから、（第一先端部１３を含む）コネクタ本体１１の内周面１１Ａ（，１３Ａ）まで連通する構造があればよいのであるから、例えば図１２に例示されるように、第一先端部１３の外周面１３Ｂから、（第一先端部１３を含む）コネクタ本体１１の内周面１１Ａ（，１３Ａ）まで貫通される貫通孔１８を設けてもよい。
【００８１】
貫通孔１８は、例えば第一先端部１３の外周面１３Ｂからコネクタ本体１１の内周面１１Ａまで第二先端部１４側に傾斜するようにして穿孔される。このような構成とすることで、滞留部１６の液体をコネクタ本体１１内に導入することが可能となる。
【００８２】
＜その他の変形例＞
なお、上述した実施形態では、フィルタモジュール３０の下流側、つまりフィルタモジュール３０の流出側の接続管にコネクタ１０を挿入させていたが、この形態に限らない。例えばフィルタモジュール３０の上流側、つまりフィルタモジュール３０の流入側の接続管にコネクタ１０を挿入させてもよい。具体的には、ケーシング側接続管３７Ａ，３７Ｂの一方を流入ポートとして使用し、キャップ側接続管３５Ａ，３５Ｂの一方を流出ポートとして使用する際に、ケーシング側接続管３７Ａ，３７Ｂの一方に本実施形態に係るコネクタ１０が挿入される。
【符号の説明】
【００８３】
１０  配管接続用コネクタ、１１  コネクタ本体、１１Ａ  コネクタの内周面、１１Ｂ  コネクタの外周面、１１Ｃ  コネクタのＯリングとの当接領域、１３  第一先端部、１３Ｂ  第一先端部の外周面、１４  第二先端部、１５  スリット（貫通部）、１５Ａ  スリットの終端、１６  滞留部、１７  スロープ溝、１７Ａ  スロープ溝の底面、１８  貫通孔（貫通部）、３０  フィルタモジュール、３１  ケーシング、３２  中空糸膜、３３Ａ，３３Ｂ  キャップ、３４  封止材、３５Ａ，３５Ｂ  キャップ側接続管、３６  ケーシング本体、３７Ａ，３７Ｂ  ケーシング側接続管、３８  封止キャップ、４０  ケーシング側接続管の内周面、４１  Ｏリング、４２  収容溝、４３  段差部、４３Ａ  段差面、４４  ストッパ、４４Ａ  近位端面、４５  拡径部、４６  シール部材、５０  透析液供給回路、５１  動脈側回路、５２  静脈側回路、５３  ポンプ、５４  血液浄化器、５５Ａ，５５Ｂ  チューブ。
【図１】
2020005883.tif 000003
【図２】
2020005883.tif 000004
【図３】
2020005883.tif 000005
【図４】
2020005883.tif 000006
【図５】
2020005883.tif 000007
【図６】
2020005883.tif 000008
【図７】
2020005883.tif 000009
【図８】
2020005883.tif 000010
【図９】
2020005883.tif 000011
【図１０】
2020005883.tif 000012
【図１１】
2020005883.tif 000013
【図１２】
2020005883.tif 000014
【図１３】
2020005883.tif 000015